(57)【要約】      （修正有）【課題】ステアリングメンバー本体にインストステイなどのブラケット類を取付けるための溶接作業を利用して、クリップ取付け孔へのクリップの誤着防止のための識別マークを溶接により形成して、組立作業者が確実に選択できるように構成した。【解決手段】音響機器から延設されたハーネスをインストステイにインストステイ側クリップを用いて掛止すべくインストステイにインストステイ側クリップ取付け孔１１、１２を設け、クリップ取付け孔１１、１２が、音響機器の仕様違い或いは仕向け地違いなどによってインストステイに対するハーネス取付け位置を適正位置に設定すべく、一方のインストステイ側クリップ取付け孔１１をインストステイ側クリップ１３を挿着すべく選択すべき場合、他方のインストステイ側クリップ取付け孔１２の孔内壁１２ａに、溶接によりインストステイ側クリップ誤着防止用突起１４を突設した。【選択図】図２
2015101262.tif 000002
【特許請求の範囲】
【請求項１】
ステアリングメンバー本体の車幅方向両外側端にそれぞれ取付けられて前記ステアリング本体が車幅方向に延在するように車体に配設する一対のサイドブラケット、前記ステアリングメンバー本体における前記両サイドブラケットを挟む中間部において設置するステアリングコラムブラケット、ポストブラケット、或いはインストルメントパネルを車体に取付けるためのインストステイなどが構成するブラケット類を有し、且つ、前記インストステイに音響機器を装着して構成するステアリングメンバー装置であって、前記音響機器から延設されたハーネスをクリップを用いて掛止すべく、前記ブラケット類或いは前記ステアリングメンバー本体自体に前記クリップを取付けるためのクリップ取付け孔を設けており、該クリップ取付け孔が、前記音響機器の仕様違い或いは仕向け地違いなどによって、前記ブラケット類或いは前記ステアリングメンバー本体に対するハーネス取付け位置を適正位置に選択可能にすべくそれぞれ複数個形成されており、前記ブラケット類或いは前記ステアリングメンバー本体にそれぞれ設けられた前記複数個のクリップ取付け孔のうち一つのクリップ取付け孔を選択して前記インストステイ側クリップを取付けた場合、残余の前記クリップ取付け孔における孔内壁に、溶接によりクリップ誤着防止用突起を突設して、該クリップ誤着防止用突起により前記クリップが挿着されないようにする識別マークを構成したことを特徴とするステアリングメンバー装置。
【請求項２】
前記ハーネスを前記インストステイに対して掛止して取回すべく、前記クリップがインストステイ側クリップであると共に、前記複数個のクリップ取付け孔が、前記インストステイに設けられたインストステイ側クリップ取付け孔であって、該複数個のインストステイ側クリップ取付け孔のうち一つのインストステイ側クリップ取付け孔を選択して前記インストステイ側クリップを取付けた場合、残余のインストステイ側クリップ取付け孔における孔内壁に、溶接により前記クリップ誤着防止用突起を突設して、該クリップ誤着防止用突起により前記クリップが挿着されないようにする識別マークを構成したことを特徴とする請求項１に記載のステアリングメンバー装置。
【請求項３】
前記ハーネスを前記サイドブラケットに対しても掛止して取回すべく、前記クリップがサイドブラケット側クリップであると共に、前記複数個のクリップ取付け孔が、前記サイドブラケットに設けられたサイドブラケット側クリップ取付け孔であって、該複数個のサイドブラケット側クリップ取付け孔のうち一つのサイドブラケット側クリップ取付け孔を選択して前記サイドブラケット側クリップを取付けた場合、残余のサイドブラケット側クリップ取付け孔における孔内壁に、溶接により前記クリップ誤着防止用突起を突設して、該クリップ誤着防止用突起を前記サイドブラケット側クリップが誤って挿着されないようにする識別マークとして構成したことを特徴とする請求項１または請求項２に記載のステアリングメンバー装置。
【発明の詳細な説明】
【技術分野】
【０００１】
この発明は、自動車の操舵制御を司るべく構成したステアリング機構を支承するステアリングメンバー装置に関する。
【背景技術】
【０００２】
一般に、ステアリングメンバー装置は、ステアリングメンバー本体がその車幅方向両外側端にそれぞれ取付けられた一対のサイドブラケットを介して車幅方向に延在するように車体に配設されている。且つ、ステアリングメンバー本体における両サイドブラケットを挟む中間部に、サイドブラケットと共にブラケット類を構成するステアリングコラムブラケット、ポストブラケット或いはインストルメントパネルを車体に取付けるためのインストステイ、加えて、エアバッグ装置をステアリングメンバー本体に取り付けるためのエアバッグ装置取付けブラケットなどのブラケット類を設置し、さらに、インストステイにインストルメントパネルに配設される音響機器を装着して構成している。
【０００３】
この種の従来のステアリングメンバー装置は、音響機器から延出されたハーネスをクリップを用いて掛止すべく、例えば、インストステイには、インストステイ側クリップ取付け孔が設けられ、サイドブラケット側には、サイドブラケット側クリップ取付け孔が設けられて構成している（特許文献１参照）。
【０００４】
そして、これらインストステイ側クリップ取付け孔或いはサイドブラケット側クリップ取付け孔は、音響機器の仕様違い或いは仕向け地違いなどによってハーネスが周囲に設置された取付け部品に干渉など起こしてしまわないようにインストステイやサイドブラケットに対するハーネス取付け位置を適正位置に選択可能にすべく通常インストステイ或いはサイドブラケットなどにおける互いに異なる位置に複数個形成することにより、部品の共通化を図っている。
【０００５】
このように、インストステイ側クリップ取付け孔或いはサイドブラケット側クリップ取付け孔などが複数個形成されたことにより、組立作業者がインストルメントパネルにおいてハーネスを適正位置に取回しするには、例えば複数個あるインストステイ側クリップ取付け孔或いはサイドブラケット側クリップ取付け孔などの中から所定のクリップ取付け孔を選択してクリップを取付け、該クリップにハーネスを掛止する必要がある。
【０００６】
そこで、従来のステアリングメンバー装置においては、例えば図６及び図７に示すように、ステアリングメンバー本体ａに溶接などにより設置されたインストステイｂに不図示の音響機器を取付けブラケットｃを介して取付ける場合に、当該音響機器から延出したハーネス（不図示）をクリップｄに掛止して取回すように構成しており、かかるクリップｄをインストステイｂに装着すべく、複数例えば２つのインストステイ側クリップ取付け孔ｅ、ｆをインストステイｂに互いに離間した状態で形成して部品の共通化を図っており、かかる２つのインストステイ側クリップ取付け孔ｅ、ｆのうち、例えばインストステイｂの下側に位置するインストステイ側クリップ取付け孔ｅを選択してクリップｄを挿着して、ハーネスが前記音響機器の仕様違い或いは仕向け地違いに適合する適正位置においてクリップｄに掛止されるように、構成している。
【０００７】
そして、２つのインストステイ側クリップ取付け孔ｅ、ｆのうち、残余のインストステイ側クリップ取付け孔ｆ側に組立作業者が誤ってクリップｄを挿着してワイヤの掛止位置が不適正にならないようにすべく、図６に示す例のように、残余のクリップ取付け孔ｆを識別ラベルｇにより閉塞したり、図７に示す例のように、残余のクリップ取付け孔ｆの近傍に識別マークｈを塗布したりしておき、クリップｄの誤着防止機能を果たさせていた。  
【先行技術文献】
【特許文献】
【０００８】
【特許文献１】特開２００８−２０７５８０号公報
【発明の開示】
【発明が解決しようとする課題】
【０００９】
しかしながら、残余のインストステイ側クリップ取付け孔ｆ（ステアリングメンバー本体ａに取付けられる他のブラケット類（不図示）に設けられた他のクリップ取付け孔の場合も含む）に、識別ラベルｇにより閉塞してクリップｄの誤着防止を行う図６に示す方式では、実際にハーネスを掛止する段階において識別ラベルｇが既に剥がれてしまっていたり、識別ラベルｇを貼付すべき所定のクリップ取付け孔以外のクリップ取付け孔ｅを識別ラベルｇにて閉塞してしまったり、あるいは、貼付すべき正規の識別ラベルｇとは異なる他種の識別ラベルを貼付してしまったりするような場合には、クリップｄの誤着を完全に防止することができない可能性がある。
【００１０】
また、残余のインストステイ側クリップ取付け孔ｆの近傍に、ペンキなどによる識別マークｈを塗布してクリップｄの誤着防止を行う図７に示す方式では、識別マークｈ自体を所定の色彩以外のペンキなどを用いて形成してしまったり、折角所定の色彩を塗布することにより識別マークｈを形成したとしても、クリップｄを挿着する際には、識別マークｈがかすれてしまったりしてどちらのインストステイ側クリップ取付け孔にクリップｄを装着すべきか判明できなくなってしまったり、ペンキなどを未塗布のままにして結果的に識別マークｈを形成し忘れるような場合が起こり得て、誤着を完全に防止することができない可能性がある。
【００１１】
そこで、この発明は、ステアリングメンバー本体にインストステイなどのブラケット類を取付けるための溶接作業を利用して、クリップ取付け孔へのクリップの誤着防止のための識別マークを溶接により形成して、識別マークの形成忘れやかすれなど起こさず確実にクリップを取付けるべき所定のクリップ取付け孔を組立作業者が確実に選択できるように構成したステアリングメンバー装置を提供することを目的としている。
【課題を解決するための手段】
【００１２】
この発明に係るステアリングメンバー装置は、ステアリングメンバー本体の車幅方向両外側端にそれぞれ取付けられて前記ステアリング本体が車幅方向に延在するように車体に配設する一対のサイドブラケット、前記ステアリングメンバー本体における前記両サイドブラケットを挟む中間部において設置するステアリングコラムブラケット、ポストブラケット、或いはインストルメントパネルを車体に取付けるためのインストステイなどが構成するブラケット類を有し、且つ、前記インストステイに音響機器を装着して構成するステアリングメンバー装置であって、前記音響機器から延設されたハーネスをクリップを用いて掛止すべく、前記ブラケット類或いは前記ステアリングメンバー本体自体に前記クリップを取付けるためのクリップ取付け孔を設けて、該クリップ取付け孔が、前記音響機器の仕様違い或いは仕向け地違いなどによって、前記ブラケット類或いは前記ステアリングメンバー本体に対するハーネス取付け位置を適正位置に選択可能にすべくそれぞれ複数個形成されており、前記ブラケット類或いは前記ステアリングメンバー本体にそれぞれ設けられた前記複数個のクリップ取付け孔のうち一つのクリップ取付け孔を選択して前記インストステイ側クリップを取付けた場合、残余の前記クリップ取付け孔における孔内壁に、溶接によりクリップ誤着防止用突起を突設して、該クリップ誤着防止用突起により前記クリップが挿着されないようにする識別マークを構成したことを特徴とする。
【００１３】
かかる構成を有するこの発明は、インストステイなどのブラケット類或いはステアリングメンバー本体自体に設けたにクリップ取付け孔のうち、クリップを挿着すべきでない残余のクリップ取り付け孔における孔内壁に、溶接によりクリップ誤着防止用突起を突設したことにより、クリップ誤着防止用突起の突設作業を、ステアリングメンバー本体にインストステイなどのブラケット類を取付けるための溶接作業に引き続いて行うできることになる。その結果、クリップ誤着防止用突起の形成し忘れやクリップを挿着すべきクリップ取付け孔にクリップ誤着防止用突起を突設してしまうことを防止することができ、ブラケット類或いはステアリングメンバー本体へのハーネスの掛止位置を常に所定位置に設定することができる。
【００１４】
また、かかる構成を有するこの発明は、クリップを挿着すべきでない残余のクリップ取付け孔における孔内壁に、溶接によりクリップ誤着防止用突起を突設することにより、クリップの誤着防止用識別マークを構成したことから、従来の識別ラベルの剥がれや異なる識別ラベルの貼付などの防止、あるいは、従来の識別マークにおけるかすれ現象などを確実になくすことができる。
【００１５】
この発明における一の実施の形態に係るステアリングメンバー装置は、前記ハーネスを前記インストステイに対して掛止して取回すべく、前記クリップがインストステイ側クリップであると共に、前記複数個のクリップ取付け孔が、前記インストステイに設けられたインストステイ側クリップ取付け孔であって、該複数個のインストステイ側クリップ取付け孔のうち一つのインストステイ側クリップ取付け孔を選択して前記インストステイ側クリップを取付けた場合、残余のインストステイ側クリップ取付け孔における孔内壁に、溶接により前記クリップ誤着防止用突起を突設して、該クリップ誤着防止用突起により前記クリップが挿着されないようにする識別マークを構成したことを特徴とする。
【００１６】
かかる構成を有するこの発明は、インストステイに設けた複数のインストステイ側クリップ取付け孔のうち、インストステイ側クリップを挿着すべきでない残余のインストステイ側クリップ取り付け孔における孔内壁に、溶接によりインストステイ側クリップ誤着防止用突起を突設したことにより、インストステイ側クリップ誤着防止用突起の突設作業を、ステアリングメンバー本体にインストステイなどのブラケット類を取付けるための溶接作業に引き続いて、行うできることになる。その結果、インストステイ側クリップ誤着防止用突起の形成し忘れやインストステイ側クリップを挿着すべきインストステイ側クリップ取付け孔にインストステイ側クリップ誤着防止用突起を突設してしまうことを防止することができ、インストステイへのハーネスの掛止位置を常に所定位置に設定することができる。
【００１７】
また、かかる構成を有するこの発明は、インストステイ側クリップを挿着すべきでない残余のインストステイ側クリップ取付け孔における孔内壁に、溶接によりインストステイ側クリップ誤着防止用突起を突設することにより、インストステイ側クリップの誤着防止用識別マークを構成したことから、従来の識別ラベルの剥がれや異なる識別ラベルの貼付などの防止、あるいは、従来の識別マークにおけるかすれ現象などを確実になくすことができる。
【００１８】
また、この発明における他の実施の形態におけるステアリングメンバー装置は、上記発明において、前記ハーネスを前記サイドブラケットに対して掛止して取回すべく、前記クリップがサイドブラケット側クリップであると共に、前記複数個のクリップ取付け孔が、前記サイドブラケットに設けられたサイドブラケット側クリップ取付け孔であって、該複数個のサイドブラケット側クリップ取付け孔のうち一つのサイドブラケット側クリップ取付け孔を選択して前記サイドブラケット側クリップを取付けた場合、残余のサイドブラケット側クリップ取付け孔における孔内壁に、溶接により前記クリップ誤着防止用突起を突設して、該クリップ誤着防止用突起を前記サイドブラケット側クリップが誤って挿着されないようにする識別マークとして構成している。
【００１９】
かかる構成を有する一の実施の形態は、サイドブラケットに設けた複数のサイドブラケット側クリップ取付け孔のうち、サイドブラケット側クリップを装着すべきでない残余のサイドブラケット側クリップ取り付け孔における孔内壁に、溶接によりサイドブラケット側クリップ誤着防止用突起を突設したことにより、サイドブラケット側クリップ誤着防止用突起の突設作業が、ステアリングメンバー本体にサイドブラケットなどのブラケット類を取付けるための溶接作業に引き続いて、サイドブラケット側クリップ取付け孔へのサイドブラケット側クリップの誤着防止のための識別マークを溶接により形成することができることから、サイドブラケット側クリップ誤着防止用突起の形成し忘れやサイドブラケット側クリップを挿着すべきサイドブラケット側クリップ取付け孔にサイドブラケット側クリップ誤着防止用突起を突設してしまうことを防止することができ、サイドブラケットへのハーネスの掛止位置を常に所定位置に設定することができる。
【００２０】
また、かかる構成を有するこの発明は、サイドブラケット側クリップを挿着すべきでない残余のサイドブラケット側クリップ取付け孔における孔内壁に、溶接によりサイドブラケット側クリップ誤着防止用突起を突設することにより、サイドブラケット側クリップの誤着防止用識別マークを構成したことから、従来の識別ラベルの剥がれや異なる識別ラベルの貼付などの防止、あるいは、従来の識別マークにおけるかすれ現象などを確実になくすことができる。
【００２１】
なお、この発明におけるクリップ誤着防止用突起は、一方のインストステイやサイドブラケット以外のブラケット類、例えば他方のインストステイ７やステアリングコラムブラケット或いはポストブラケットなど、さらにはステアリングメンバー本体自体に、例えば一対のクリップ取付け孔を設ける必要がある場合には、これらブラケット類及びステアリング本体に設けた一対のクリップ取付け孔のうち、他方のクリップ取付け孔側に対して、形成することになる。
【発明の効果】
【００２２】
この発明は、インストステイなどのブラケット類或いはステアリングメンバー本体自体に設けたにクリップ取付け孔のうち、クリップを挿着すべきでない残余のクリップ取り付け孔における孔内壁に、溶接によりクリップ誤着防止用突起を突設したことにより、クリップ誤着防止用突起の突設作業を、ステアリングメンバー本体にインストステイなどのブラケット類を取付けるための溶接作業に引き続いて行うできることになる。その結果、クリップ誤着防止用突起の形成し忘れやクリップを挿着すべきクリップ取付け孔にクリップ誤着防止用突起を突設してしまうことを防止することができ、ブラケット類或いはステアリングメンバー本体へのハーネスの掛止位置を常に所定位置に設定することができる。
【００２３】
さらに、この発明は、また、かかる構成を有するこの発明は、クリップを挿着すべきでない残余のクリップ取付け孔における孔内壁に、溶接によりクリップ誤着防止用突起を突設することにより、クリップの誤着防止用識別マークを構成したことから、従来の識別ラベルの剥がれや異なる識別ラベルの貼付などの防止、あるいは、従来の識別マークにおけるかすれ現象などを確実になくすことができる。
【図面の簡単な説明】
【００２４】
【図１】この発明の実施例に係るステアリングメンバー装置を描画した概略的斜視図である。
【図２】図１に描画したステアリングメンバー装置のインストステイの周辺を拡大して描画した斜視図である。
【図３】図２におけるＡ−Ａ断面図である。
【図４】図２におけるＢ−Ｂ断面図である。
【図５】インストステイ側クリップの挿着前における図２のＣ−Ｃ断面図である。
【図６】従来ステアリングメンバー装置の一例を示す要部斜視図である。
【図７】従来ステアリングメンバー装置の他の例をを示す要部斜視図である。
【発明を実施するための形態】
【００２５】
この発明に係る実施例におけるステアリングメンバー装置は、ステアリングメンバー本体にインストステイなどのブラケット類を取付けるための溶接作業を利用して、クリップ取付け孔へのクリップの誤着防止のための識別マークを溶接により形成して、識別マークの形成忘れやかすれなど起こさず組立作業者がクリップを挿着すべきクリップ取付け孔確実に選択できるように構成している。
【００２６】
次に、図を用いて、この発明を採用した実施例に係るステアリングメンバー装置について説明する。  
【００２７】
まず、図１において、ステアリングメンバー装置１は、車体の車幅方向に延在するステアリングメンバー本体２を有して構成されており、ステアリングメンバー本体２は、その車幅方向両外端部に取付けられたサイドブラケット３、３を介して不図示の車体両側部に延設するように装着されている。
【００２８】
そして、ステアリングメンバー本体２は、両サイドブラケット３、３を挟む中間部において、ステアリングコラムブラケット４、ポストブラケット５、或いはインストステイ６、７、さらには、不図示のエアバッグ装置を取付けるためのエアバッグ装置取付けブラケット１８などのブラケット類が溶接によって取着されている。
【００２９】
ステアリングコラムブラケット４及びポストブラケット５は、不図示のステアリング機構を支持するステアリングコラムシャフト（不図示）を装着支持している。ステアリングコラムブラケット４及びポストブラケット５が、ステアリングメンバー本体２における車体左側に設置されていることから、かかるステアリングメンバー装置１は、所謂左ハンドル車用を表しており、右ハンドル車用の場合には、ステアリングメンバー本体２の車体右側にステアリングコラムブラケット４及びポストブラケット５が装着され、これに関連して、インストステイ６、７は、ステアリングコラムブラケット４及びポストブラケット５に対してステアリングメンバー本体２の左側に配設されることになる。
【００３０】
また、インストステイ６、７は、不図示のインストルメントパネルを取付けるべく構成している。
【００３１】
そして、２つのインストステイ６、７は、ステアリングコラムブラケット４側すなわち車体左側に向かって開口する断面コ字状を呈して構成されており、その上端部が溶接などによりステアリングメンバー本体２に装着されている。
【００３２】
２つのインストステイ６、７のうち、ステアリングコラムブラケット４側近傍に装着された一方のインストステイ６における車体後方側に面する側壁面６ａには、図２に示すように、一点鎖線示する音響機器８をインストステイ６に装着すべく音響機器取付けブラケット９が図４に示すように溶接によりインストステイ６に取着されている。
【００３３】
音響機器取付けブラケット９に装着された音響機器８は、不図示の自動車電源などに接続すべく、複数本束ねられて構成する一点鎖線示のハーネス１０が延出して構成している。
【００３４】
ハーネス１０は、電源などに接続されるまでの中間部においては、インストルメントパネル内において他の部品に邪魔にならないようにすべく、クリップなどを用いて取回された上でインストルメントパネルなどに設置されている。
【００３５】
かかることから、一方のインストステイ６の側壁面６ａには、クリップ取付け孔を構成すべく、音響機器取付けブラケット９を挟んで上下に離間配設された状態で、例えば一対のインストステイ側クリップ取付け孔１１、１２が穿設されており、これら一対のインストステイ側クリップ取付け孔１１、１２は、選択的にインストステイ側クリップ１３が挿着されて（この実施例は、インストステイ６の下方に位置するインストステイ側クリップ取付け孔１１にインストステイ側クリップ１３が挿着されている場合を示している）、ハーネス１０の中途部を掛止するようになっている。
【００３６】
このことは、音響機器８の仕様なり形状や仕向け地などによりハーネス１０の延出場所、延出姿、太さなどが異なる関係で、ハーネス１０のインストステイ側クリップ１３による掛止位置を適正化するとともに、インストステイ６の部品共通化を図ったものである。
【００３７】
かかることから、インストステイ側クリップ１３を挿着してはいけない他方すなわちインストステイ６における音響機器取付けブラケット９に対して上方に位置するインストステイ側クリップ取付け孔１２は、インストステイ側クリップ１３を誤って挿着しないように、誤着防止処理がなされている。
【００３８】
この実施例におけるインストステイ側クリップ１３の誤着防止処理は、図２及び図３に示すように、他方のインストステイ側クリップ取付け孔１２の孔内壁１２ａに、溶接によりインストステイ側クリップ誤着防止用突起１４が突設されている。
【００３９】
インストステイ側クリップ誤着防止用突起１４は、他方のインストステイ側クリップ取付け孔１２内に張り出し形成されていることから、図５に示すように、インストステイ側クリップ１３を挿着しようとしても、邪魔となってインストステイ側クリップ１３を挿着できないことから、組立作業者にとって識別マーク機能を果たすことができることになる。
【００４０】
さらに、この実施例においては、図１に示すように、ステアリングメンバー本体２の車幅方向両外側端にそれぞれ取付けられたサイドブラケット３、３にも、同様に、クリップ取付け孔を構成すべく、車体前後方向に並設する一対のサイドブラケット側クリップ取付け孔１５、１６がそれぞれ穿設されており、一方のサイドブラケット側クリップ取付け孔１５には、ハーネス１０の中途部を掛止すべく、サイドブラケット側クリップ１３ａが挿着されており、他方のサイドブラケット側クリップ取付け孔１６の孔内壁に、溶接によりサイドブラケット側クリップ誤着防止用突起１７が突設されている。
【００４１】
以上のように構成するこの発明に係る実施例においては、インストステイ６に設けた一対のインストステイ側クリップ取付け孔１１、１２のうち、サイドブラケット側クリップ１３を挿着すべきでない残余のインストステイ側クリップ取り付け孔１２における孔内壁１２ａに、溶接によりインストステイ側クリップ誤着防止用突起１４を突設したことにより、インストステイ側クリップ誤着防止用突起１４の突設作業を、ステアリングメンバー本体２にインストステイ６などのブラケット類を取付けるための溶接作業に引き続いて行うできることになる。この結果、インストステイ側クリップ誤着防止用突起１４の形成し忘れやインストステイ側クリップ１３を挿着すべきインストステイ側クリップ取付け孔１１にインストステイ側クリップ誤着防止用突起１４を突設してしまうことを防止することができ、インストステイ６へのハーネス１０の掛止位置を常に所定位置に設定することができる。
【００４２】
加えて、この発明に係る実施例においては、インストステイ側クリップ１３を挿着すべきでない残余のインストステイ側クリップ取付け孔１２における孔内壁１２ａに、溶接によりインストステイ側クリップ誤着防止用突起１４を突設することにより、インストステイ側クリップ１３の誤着防止用識別マークを構成したことから、従来の識別ラベルの剥がれや異なる識別ラベルの貼付などの防止、あるいは、従来の識別マークにおけるかすれ現象などを確実になくすことができる。
【００４３】
また、この発明に係る実施例においては、ハーネス１０を前記サイドブラケット３、３に対しても掛止して取回すべく、サイドブラケット３、３にサイドブラケット側クリップ取付け孔１５、１６を形成しており、サイドブラケット側クリップ取付け孔１５、１６が、音響機器の仕様違い或いは仕向け地違いなどによってハーネス取付け位置を適正位置に選択可能にすべく複数個形成されており、該複数個のサイドブラケット側クリップ取付け孔１５、１６のうち一つのサイドブラケット側クリップ取付け孔１５を選択して前記サイドブラケット側クリップ１３ａを取付けた場合、残余のサイドブラケット側クリップ取付け孔１６ａにおける孔内壁１６ａに、溶接によりサイドブラケット側クリップ誤着防止用突起１７を突設して、サイドブラケット側クリップ誤着防止用突起１７をサイドブラケット側クリップ１３ａが誤って挿着されないようにする識別マークとして構成している。
【００４４】
さらに、この発明における実施例は、サイドブラケット３、３に設けた複数のサイドブラケット側クリップ取付け孔１５、１６のうち、サイドブラケット側クリップ１３ａを装着すべきでない残余のサイドブラケット側クリップ取付け孔１６における孔内壁１６ａに、溶接によりサイドブラケット側クリップ誤着防止用突起１７を突設したことにより、サイドブラケット側クリップ誤着防止用突起１７の突設作業が、ステアリングメンバー本体２にサイドブラケット３、３などのブラケット類を取付けるための溶接作業に引き続いて、サイドブラケット側クリップ取付け孔１６へのクリップの誤着防止のための識別マークを溶接により形成することができることから、サイドブラケット側クリップ誤着防止用突起１７の形成し忘れやサイドブラケット側クリップ１３ａを挿着すべきサイドブラケット側クリップ取付け孔１５にサイドブラケット側クリップ誤着防止用突起１７を突設してしまうことを防止することができ、サイドブラケット３，３へのハーネス１０の掛止位置を常に所定位置に設定することができる。
【００４５】
加えて、かかる構成を有するこの発明は、サイドブラケット側クリップ１３ａを挿着すべきでない残余のサイドブラケット側クリップ取付け孔１６における孔内壁１６ａに、溶接によりサイドブラケット側クリップ誤着防止用突起１７を突設することにより、サイドブラケット側クリップ１３ａの誤着防止用識別マークを構成したことから、従来の識別ラベルの剥がれや異なる識別ラベルの貼付などの防止、あるいは、従来の識別マークにおけるかすれ現象などを確実になくすことができる。
【００４６】
そして、この発明における実施例に係るクリップ誤着防止用突起は、一方のインストステイ６やサイドブラケット３、３以外のブラケット類、例えば他方のインストステイ７やステアリングコラムブラケット４或いはポストブラケット５など、さらにはステアリングメンバー本体２自体に、例えば一対のクリップ取付け孔１９、２０を設ける必要がある場合には、これらブラケット類及びステアリング本体２に設けた一対のクリップ取付け孔１９、２０のうち、他方のクリップ取付け孔２０側に対して、形成することになる。
【産業上の利用可能性】
【００４７】
以上説明したこの発明は、ステアリングメンバー本体にインストステイなどのブラケット類を取付けるための溶接作業を利用して、クリップ取付け孔へのクリップの誤着防止のための識別マークを溶接により形成して、識別マークの形成忘れやかすれなど起こさず確実にクリップを取付けるべき所定のクリップ取付け孔を組立作業者が確実に選択できることから、自動車の操舵制御を司るべく構成したステアリング機構を支承するステアリングメンバー装置等に好適であるといえる。
【符号の説明】
【００４８】
１    ステアリングメンバー装置
２    ステアリングメンバー本体
３    サイドブラケット
４    ステアリングコラムブラケット（ブラケット類）
５    ポストブラケット（ブラケット類）
６、７    インストステイ（ブラケット類）
８    音響機器
９    音響機器取付けブラケット
１０    ハーネス
１１    一方のインストステイ側クリップ取付け孔（クリップ取付け孔）
１２    他方のインストステイ側クリップ取付け孔（クリップ取付け孔）
１２ａ  孔内壁
１３、１３ａ  １３ｂ  クリップ
１４    インストステイ側クリップ誤着防止用突起（誤着防止用突起）
１５    サイドブラケット側クリップ取付け孔（クリップ取付け孔）
１６    サイドブラケット側クリップ取付け孔（クリップ取付け孔）
１６ａ  孔内壁
１７    サイドブラケット側クリップ誤着防止用突起（誤着防止用突起）
１８    エアバッグ装置取付け用ブラケット（ブラケット類）
１９    一方のクリップ取付け孔
２０    他方のクリップ取付け孔
【図１】
2015101262.tif 000003
【図２】
2015101262.tif 000004
【図３】
2015101262.tif 000005
【図４】
2015101262.tif 000006
【図５】
2015101262.tif 000007
【図６】
2015101262.tif 000008
【図７】
2015101262.tif 000009